(57)【特許請求の範囲】
【請求項１】
Ｘ線生成装置であって、
ハウジング、
前記ハウジング内に配列した真空外囲器、
電子を生成するための電子発生源であって、前記真空外囲器内に配列される、電子発生源、
Ｘ線を発生させるための回転陽極ターゲットであって、前記電子発生源から間隔をあけて前記真空外囲器内に配列される、回転陽極ターゲット、
前記回転陽極ターゲットへ電子を通過させるための開口を有し、前記回転陽極ターゲットと前記電子発生源との間に配列される中空遮蔽構造体、
前記電子発生源と前記回転陽極ターゲットとの間に電場を形成するための電圧源、
前記回転陽極ターゲットを囲む電気伝導性の外部構造体であって、前記陽極ターゲットを接地電位に維持するために接地される、電気伝導性の外部構造体、
前記回転陽極ターゲットの後方側に近接して配列した冷却ブロックであって、複数の円形状の溝から成り、前記溝が、複数の円形状の隔壁によって仕切られ、冷却液が、前記溝を通じて流れる、冷却ブロック、及び
前記ハウジングの外部に配列した熱交換器、及び冷却液を前記熱交換器から前記遮蔽構造体を介して前記冷却ブロックへ循環させ、前記冷却ブロックから前記ハウジングを通じて前記熱交換器へと戻すための手段、を有する外部冷却ユニット、
から成るＸ線生成装置。
【請求項２】
前記回転陽極ターゲットが、前記冷却ブロックに向けて後方に張り出したフィンを有し、
前記冷却ブロックが、前記ターゲットに向けて前方に張り出した張出し部を有し、
前記陽極ターゲットが回転すると、前記ターゲットのフィンが、前記張出し部の間を通過し、熱が、前記張出し部を通じて前記冷却ブロックから伝達される、ところの請求項１のＸ線生成装置。
【請求項３】
前記中空遮蔽構造体が、熱伝導性の材料からなり、
前記中空遮蔽構造体が、前記電子発生源に面した凹状の上面、前記陽極ターゲットに面した平坦な底面、及び前記遮蔽構造体の内部に配列した複数のフィン、から成る、
ところの請求項１のＸ線生成装置。
【請求項４】
前記遮蔽構造体が、前記遮蔽構造体の前記フィンの間に配列される金属製の発泡体、からさらに成る、
ところの請求項３のＸ線生成装置。
【請求項５】
前記遮蔽構造体が、好適に、銅からなり、
前記フィンが、好適に、銅からなる、
ところの請求項４のＸ線生成装置。
【請求項６】
前記中空遮蔽構造体が、凹状の上壁、平坦な底壁、及び前記凹状の上壁から前記平坦な底壁に向けて張り出した複数のピン、から成り、
前記遮蔽構造体及びピンが、熱伝導性の材料からなる、
ところの請求項２のＸ線生成装置。
【請求項７】
前記中空遮蔽構造体が、それらの間を溶接し、前記遮蔽構造体の内壁に連結される複数の金属製の球体で満たされる、
ところの請求項２のＸ線生成装置。
【請求項８】
Ｘ線生成装置であって、
真空外囲器、
Ｘ線を発生させるための陽極回転ターゲットであって、前記真空外囲器内に配列される、回転陽極ターゲット、
前記回転陽極ターゲットを囲む電気伝導性の外部構造体であって、前記陽極ターゲットを接地電位に維持するために接地される、電気伝導性の外部構造体、
電子を生成するための電子発生源であって、前記陽極ターゲットから間隔をあけて配列される、電子発生源、
前記回転陽極ターゲットと前記電子発生源との間に配列され、熱伝導性の発泡体で充填される中空遮蔽構造体であって、前記電子発生源からの電子を通過させて前記回転陽極ターゲットへ到達させるための開口を有する、中空遮蔽構造体、
前記回転陽極ターゲットの後方側に近接して配列される冷却ブロックであって、それらの間を複数の隔壁で仕切られた複数の円形状の溝を有するディスクから成る、冷却ブロック、及び
熱交換器、及び冷却液を前記熱交換器から前記遮蔽構造体を介して前記冷却ブロックへ循環させ、前記冷却ブロックから前記ハウジングを通じて前記熱交換器へと戻すための手段、から成る冷却液循環システム、
から成るＸ線生成装置。
【請求項９】
前記冷却液が、好適に、水性液である、ところの請求項８のＸ線生成装置。
【請求項１０】
前記遮蔽構造体が、熱伝導性の材料からなり、
前記遮蔽構造体が、前記電子発生源に面した凹状の上面、及び前記陽極ターゲットに面した平坦な底面、から成る、
ところの請求項９のＸ線生成装置。
【請求項１１】
Ｘ線生成装置であって、
ハウジング、
前記ハウジング内に配列した真空外囲器、
Ｘ線を発生させるための回転陽極ターゲットであって、前記真空外囲器内に配列される、回転陽極ターゲット、
電子を生成するための電子発生源であって、前記陽極ターゲットから間隔をあけて配列される、電子発生源、及び
冷却システムであって、
前記回転陽極ターゲットと前記電子発生源との間に配列され、前記電子発生源からの電子を前記回転陽極ターゲットへ通過させるための開口を有する、熱伝導性の遮蔽構造体、
前記回転陽極ターゲットに隣接して配列され、冷却液が受け入れる少なくとも一つの流体通路を含む冷却ブロック、及び
熱交換器と、冷却液を、少なくとも前記熱交換器と前記遮蔽構造体と前記冷却ブロックの少なくとも一つの流体通路との間で、さらに前記ハウジング内部を通過させて循環するポンプとを有する、前記ハウジングの外部に配列された外部冷却ユニット、
から成る、
ところの冷却システム、から成るＸ線生成装置。
【請求項１２】
前記遮蔽構造体が、前記冷却液を通過させるための空洞部を有する、ところの請求項１１のＸ線生成装置。
【発明の詳細な説明】
発明の分野
本発明は、高性能Ｘ線生成装置に関し、特に、高い患者スループットのＸ線生成装置に関する。
発明の背景
在来のＸ線生成装置は、一般に、軸方向に間隔をあけて配列した陰極と陽極とを有する真空外囲器を収容したハウジングから構成される。電子は、高温のタングステンフィラメントから発射され、強い電場の陰極と陽極との間の間隙を飛翔してエネルギーを得る。電子は、タングステンやレニウムのような高原子番号の材料からなる陽極ターゲットに衝突し、電子がそこで減速、散乱する間にＸ線が発生する。しかし、衝突電子の運動エネルギーのうちの少しだけがＸ線に変換され、残りのエネルギーは熱に変換される。その結果、ターゲット材料は、電子衝突点で急激に加熱される。熱を散逸又は分散するために、通常は、陽極を真空外囲器内で回転し、陽極ターゲットの電子を受ける側の表面上の高温スポットが広い面積にわたり広げられる。Ｘ線生成装置の患者スループットは、このＸ線管の冷却能力により実質的に制限される。在来のＸ線断層撮影（ＣＴ）用Ｘ線管の大半は、最大走査速度として、ワン・セコンド（ｏｎｅ−ｓｅｃｏｎｄ）走査プロトコルを使用する。回転ターゲットからの効率的な熱の除去は、ＣＴスキャナーのＣＴ用Ｘ線管を断続使用する際の主な問題の一つである。
発明の概要
本発明の主な目的は、改良した冷却システムを有する高い患者スループットの高性能Ｘ線生成装置を提供することである。
本発明のより特定的な目的は、その構成成分を通じる流体を増加できるＸ線生成装置を提供することであり、改良した冷却システムを使用して、サブ・セコンド（ｓｕｂ−ｓｅｃｏｎｄ）走査プロトコルを使用できる冷却システムを通じて熱伝達が増加される。
本発明のその他の目的は、従来技術のＸ線生成装置での患者スループット抑制を低減できる改良した冷却システムを有するＸ線生成装置を提供することである。
上記及び他の目的を達成する本発明のＸ線生成装置は、それぞれ間隔をあけて配列した電子発生源及び回転陽極ターゲットを有する真空外囲器を付設したハウジング、及び冷却システム、から構成される。冷却システムは、中空遮蔽構造体、冷却ブロック、及び冷却液を循環させる手段及び熱交換器を有する外部冷却ユニット、から構成される。中空遮蔽構造体は、電子発生源と陽極ターゲットとの間に配列され、陽極構造体の熱負荷を低減し、焦点外放射の原因となる後方散乱二次電子を捕獲する。複数のフィン又はピンが、遮蔽構造体の内部に組み入れられ、その熱散逸を増加させる。金属製の発泡体が、フィンとフィンとの間に配置され得る。実施例の一つに従って、中空遮蔽構造体の空洞部に、熱伝導性の発泡体が完全に満たされ得る。冷却ブロックは、回転陽極ターゲットに近接して配列され、それぞれ円形状の平行に配列した複数の隔壁で形成される円形状の平行に配列した複数の溝を有するディスクから構成される。冷却ブロックの平行に配列した溝を通じて冷却液を流すと、流体が減速し、これにより、抵抗損失とこれに関連する圧力降下が低減される。冷却液を循環させるための手段は、中空遮蔽構造体から冷却ブロックのディスクを通じ、ハウジングの内部を通じて熱交換器へ冷却液を送る。
【図面の簡単な説明】
添付の図面は、本明細書に組み入れられ、その一部を構成するものであり、詳細な説明とともに本発明の実施例を図説し、本発明の原理を説明するためのものである。
図１は、本発明のＸ線生成装置の断面図である。
図２は、図１のＸ線生成装置の一部破断斜視図である。
図３ａは、複数のフィンを組み入れた遮蔽構造体の断面図である。
図３ｂは、内部に複数のフィンを有し且つフィンとフィンとの間に熱伝導性の発泡体を有する遮蔽構造体の断面図である。
図３ｃは、複数のピンを組み入れた遮蔽構造体の断面図である。
図３ｄは、熱伝導性の発泡体を満した遮蔽構造体の断面図である。
図３ｅは、遮蔽構造体の内壁に連結されるパックベッド構造を形成するために、それぞれ溶接した熱伝導性の球体を満たした遮蔽構造体の断面図である。
図４ａは、本発明のＸ線生成装置の冷却ブロックを有する陽極組立体の断面図である。
図４ｂは、本発明のＸ線生成装置の冷却ブロックのＡＡ線断面図である。
図５は、本発明のＸ線生成装置内の冷却液の循環を示すブロック図である。
発明の詳細な説明
図１に、本発明の改良した冷却システムを組み入れたＸ線生成装置１０を示す。Ｘ線生成装置１０は、真空外囲器１４、及びこれを収容するハウジング１２、から構成される。真空外囲器１４は、電子発生源１６、及び陽極ターゲット２０を有する回転陽極組立体１８、を含む。真空外囲器１４及びハウジング１２は、それぞれ、窓１５、１７を有する。電子発生源１６からの電子は、陽極組立体１８とともに回転軸１９に関して回転する陽極ターゲット２０上に衝突し、これにより生成されたＸ線が窓１５、１７を通過する。
Ｘ線生成装置１０の冷却システムは、環状遮蔽構造体２２、冷却ブロック２７、及び冷却ユニット１１、から構成される。ここで、冷却ユニット１１は、熱交換器、及びポンプ（図示せず）、から構成され、熱交換器から遮蔽構造体２２、次いで冷却ブロック２７を通じ、ハウジング１２の内部を通じて冷却液を循環させる。
陽極ターゲット２０での後方散乱電子を防止し、熱伝達のため、環状遮蔽構造体２２は、銅のような熱伝導性の材料からなり、電子発生源１６と陽極ターゲット２０との間に設けられる。図２に示すように、この遮蔽構造体２２は、電子発生源１６に面した凹状の上面を有し、陽極ターゲット２０に面した平坦な底面を有し、陽極ターゲット２０に向けて電子発生源１６からの電子を通過させるための円筒状の開口を有する。遮蔽構造体２２の内部は、中空となっており、冷却液の通路になっている。陽極ターゲット２０は衝突電子により加熱され、この熱が、陽極ターゲット２０から真空外囲器１４に放射される。遮蔽構造体２２は、これを通じて流れる冷却液に熱を伝導させることにより、ターゲットの熱負荷を実質的に低減させる。電子発生源とターゲットとの間に遮蔽構造体を使用する主な設計及び有益性については、本発明の譲受人に譲渡される米国特許出願第０８／６６０６１７号「熱伝達デバイス付きＸ線生成装置」に開示されている。
遮蔽構造体の冷却性能を高め、熱伝達面積を増加させるために、図３ａに示す実施例に従って、複数のフィン３２が遮蔽構造体２２の内部に設けられる。フィンとフィンとの間の空間には、図３ｂに示すように、銅の発泡体３３のような金属製の発泡体が満たされ得る。また、図３ａに示すように、フィンのディスクの外面に「ナーリング（ｋｎｕｒｌｉｎｇ）」又は凹凸３４が設けられ得る。発泡体やナーリングは、接液面積を増加させることにより熱伝達率を増加し、核沸騰サイト数を増加する。また、熱伝達速度は、接液面を砂吹きして、粗い表面を形成し、付加的な接液面と核沸騰サイトとを得ることによっても増加できる。
フィンは、図３ｃに示すようなピン３５を形成するように、軸方向にスリットされ得る。図３ｄに示す他の実施例に従って、遮蔽構造体２２によって形成される中空の空洞部全体に、金属製の発泡体３３を満たし得る。金属製の発泡体３３は、好適に、銅製であり、遮蔽構造体２２の内面に溶接される。
その他の実施例に従って、図３ｅに示すように、遮蔽構造体２２の空洞部には、熱伝導性の材料からなり、好適に、遮蔽構造体の内壁に溶接されて取り付けられ、それぞれパックベッド（ｐａｃｋ  ｂｅｄ）３６を形成するように溶接した球体を満たし得る。
遮蔽構造体２２は、凹状の上面２１とその中央の開口端部に接するところでの二次電子射突によっても加熱される。装置１０の性能をさらに高めるために、選択的なコーティングが、遮蔽構造体２２になされ得る。凹状の上面２１は、効果的に電子を収集するために、低い原子番号を有する材料でコーティングされ得る。底面２３は、ターゲット２０からの熱伝達を増加させるために、高い吸収性を有する材料でコーティングされ得る。
図２に示すように、陽極ターゲット２０は、陽極組立体１８（図１に示す）の後方側に配列される冷却ブロック２７に向けて後方に張り出したフィン２５を有する。冷却ブロック２７は、これを通じて流れる冷却液によって冷却され、前方に張り出した張出し部２８が設けられる。陽極ターゲット２０が回転すると、陽極ターゲットのフィン２２は、冷却ブロック２７から前方に張り出したそれぞれの張出し部２８の間を通過し、陽極組立体１８から冷却ブロック２７への熱伝達を増加させる。図４ａに示すように、冷却ブロック２７が、陽極組立体１８の後方に配列される。図４ｂに示すように、冷却ブロック２７は、冷却液配分用の円形状の隔壁によって形成される多数の平行な流路から構成される。このような同軸の円形状の流路内の冷却液の配分は、冷却ブロック２７を通じる冷却液圧力降下を低減し、これにより、遮蔽構造体２２を通じる流量が増加され、冷却システム全体を通じて熱伝達が増加される。
回転陽極組立体１８は、全金属製の接地した外部構造体３０で囲われる。フィン２５と冷却ブロックの張出し部との間の距離が小さすぎて陽極組立体の高電圧に耐えられないので、二端に高電圧を印加する従来技術のＸ線生成装置では、陽極の冷却が妨げられる。陽極組立体は接地され、陽極ターゲット２０は、冷却ブロック２７へ熱を放射するように、より大きい表面積を有する。陽極を接地することには、ターゲット表面から離れ、遮蔽構造体２２に収集される後方散乱電子の量が著しく増加し、陽極及び窓が吸収しなければならない熱量が低減され、焦点外放射の量が低減される、という利点がある。捨てられてしまうエネルギー全部のうちの４０％程度が接地した陽極管の遮蔽構造体２２により収集され、これと比較して、中央部分が金属製の二端印加式のＸ線管では１５％であり、ガラス製の外囲器を有するＸ線管では０％である。陽極を接地することには、高電圧がＸ線管の陰極の領域に限定される、という他の利点がある。高い負の電圧４０を陰極の領域に印加するための手段が、電子発生源１６と陽極ターゲット２０との間に強い電場を形成し、電子発生源１６から放射した電子を陽極ターゲット２０に向けて加速する。
ＣＴ用Ｘ線生成装置の大半では、鉱物性のオイルが熱伝達媒体として使用される。この種のオイルは、その沸点以上の温度になると劣化し、冷却システム内の高温表面に堆積する。この堆積物質は、表面の冷却性能に悪影響を及ぼす。本発明に従って、水性溶液からなる冷却液や合成冷却液が、Ｘ線管やそのハウジング内の無堆積冷却を容易に行うために使用される。本発明に従って利点的に使用され得る冷却液の例としては、“ＳｙｌＴｈｅｒｍ”（商標）（Dow Chemical Company）（変性ポリジメチルシロキサン水）、グリコール混合水、“Ｆｌｏｕｒｉｎｅｒｔ”（商標）（３Ｍ）電子冷却液がある。
図５に、図１及び２のＸ線生成装置を効率的に冷却する本発明に従った冷却液の循環を示す。ハウジング１２からの高温冷却液は、外部冷却ユニット１１へと導かれる。本発明に使用できる在来の外部冷却ユニットは、熱交換器、及び冷却液をＸ線管のハウジング内を循環させるためのポンプ、から構成される。冷却した冷却液は、まず、遮蔽構造体２２の内部へ導かれる。陽極ターゲット２０からの熱を受ける遮蔽構造体２２からの熱を吸収した後、冷却液は、陽極組立体１８の後方側に配列した冷却ブロック２７のディスクの複数の円形状の溝に向けられ、前方に張り出した張出し部を冷却し、これを通じて、熱が、陽極組立体１８から伝達される。その後、冷却液は、ハウジング１２内を循環し、外部冷却ユニット１１へ向けられる。
上説した実施例は、本発明の図説を意図としたものであり、本発明はこれら実施例に限定されない。異なった変更物及び変形物が、本発明の精神の範囲内で可能である。本発明に従った新規な特徴を組み入れたＸ線生成装置は、１×１０6から２×１０6ジュールの高エネルギープロトコルで作動でき、患者スループットをさらに向上する。このような変更物及び変形物の全ては、当業者には明らかであり、本発明の範囲内にある。
【図１】
0004142748.tif 000002
【図２】
0004142748.tif 000003
【図３ａ】
0004142748.tif 000004
【図３ｂ】
0004142748.tif 000005
【図３ｃ】
0004142748.tif 000006
【図３ｄ】
0004142748.tif 000007
【図３ｅ】
0004142748.tif 000008
【図４ａ】
0004142748.tif 000009
【図４ｂ】
0004142748.tif 000010
【図５】
0004142748.tif 000011